(57)【特許請求の範囲】
【請求項１】
本に装着するブックカバーであって、
本の表紙に装着されるカバー本体と、
前記カバー本体が本の表紙に装着された状態を保持するための複数の面ファスナーとを備え、
前記カバー本体は、互いに対向し且つ互いに平行な第１の辺及び第２の辺と、前記第１の辺と前記第２の辺のうちそれらの長手方向における同じ側の一端部同士を繋ぐ第３の辺と、前記第１の辺と前記第２の辺のうち前記第３の辺によって繋がれた側と反対側の端部同士を繋ぐ第４の辺とを持つシートが前記第１の辺及び前記第２の辺に直交する第１折返し線に沿って折り返され、当該シートのうち前記第１折返し線から前記第３の辺側の部位である折返し部が当該シートのうち前記第１折返し線から前記第４の辺側の部位である基部上に重なる形状に形成され、
前記折返し部は、当該折返し部の前記第３の辺と前記基部の前記第４の辺との間に前記基部が当該折返し部によって覆われていない余白部が形成されるように前記基部上に重ねられており、
前記複数の面ファスナーには、前記カバー本体の前記折返し部に取り付けられた第１面ファスナー及び第２面ファスナーと、前記カバー本体の前記余白部に取り付けられた第３面ファスナー及び第４面ファスナーとが含まれ、
前記第１面ファスナーは、前記折返し部のうち前記基部側と反対側を向く面の前記第１の辺側の端部にその第１の辺に沿って延びるように設けられ、
前記第２面ファスナーは、前記折返し部のうち前記基部側と反対側を向く面の前記第２の辺側の端部にその第２の辺に沿って延びるように設けられ、
前記第３面ファスナーは、前記第１面ファスナーに対して着脱可能な面ファスナーであり、前記余白部のうち当該余白部が前記第１折返し線に平行な第２折返し線に沿って前記折返し部上に折り返されたときに前記第１面ファスナー上に重なる箇所に設けられ、
前記第４面ファスナーは、前記第２面ファスナーに対して着脱可能な面ファスナーであり、前記余白部のうち当該余白部が前記第２折返し線に沿って前記折返し部上に折り返されたときに前記第２面ファスナー上に重なる箇所に設けられ、
前記余白部が前記折返し部上に折り返された状態の前記カバー本体のうち前記第１の辺側の端部は、前記第２の辺側へ折り返されてその内側に本の表表紙と裏表紙のうちの一方の表紙を保持し、そのカバー本体のうち前記第２の辺側の端部は、前記第１の辺側へ折り返されてその内側に本の表表紙と裏表紙のうちの他方の表紙を保持し、当該カバー本体のうちそれら両端部の間に位置する部位は、本の表表紙から背表紙を経て裏表紙へ亘る部位を覆う、ブックカバー。
【請求項２】
前記折返し部は、前記第１折返し線の延びる方向における当該折返し部の両端からそれぞれ内側へ特定の範囲において当該折返し部と前記基部との間に本の表紙が挿し込まれるのを許容する状態で前記基部と固定されている、請求項１に記載のブックカバー。
【発明の詳細な説明】
【技術分野】  本発明は、様々な大きさの本に装着することができ、摩擦や汚れから本を守ることができるブックカバーに関するものである。
【背景技術】  従来、本を保護するためのブックカバーとして、各種大きさの本に対応した専用のサイズのものが用いられてきた。しかし、この場合には、本の大きさが異なる毎にその本に対応したサイズのブックカバーを用意する必要があり、使用者にとって多くの出費を強いるなど効率的とは言えなかった。
書店等では、紙製のブックカバーで本の大きさに合わせてサイズを調節できるものが本の販売時に配布されているが、このブックカバーは、見栄えが良くないとともに、耐久性が低く、長期間の使用に耐えられるものではない。
そこで、下記特許文献１には、上記のような問題点を解消可能なブックカバーの一例が開示されている。
この特許文献１に開示されたブックカバーは、当該ブックカバーの上下左右の端部を折り返すことによって、装着する本のサイズに合わせることができるようになっており、また、その素材として布製や皮製のシートを採用することによって見栄え及び耐久性を向上させている。また、このブックカバーは、矩形状のシートに折り返し部を固定するための面ファスナー又はマグネットを取り付けたものであり、簡素な構成で形成されている。
【先行技術文献】
【特許文献】
【特許文献１】特開２００４−９８６６５号公報
【発明の概要】
【発明が解決しようとする課題】  しかしながら、上記特許文献１に示されたブックカバーでは、本の表紙の保持性に不安があり、本の表紙に対するブックカバーのずれや外れが生じる虞がある。
具体的には、上記ブックカバーでは、本への装着時に、当該ブックカバーの縦方向の寸法が本の縦方向の寸法に合うように当該ブックカバーの上下の端部を折り返した後、そのブックカバーの左右の端部を折り返すようになっている。そして、その左右の端部の折り返された部分が、その内部に本の表紙が挿し込まれる挿し込み部になると考えられる。しかし、この構成では、挿し込み部内に本の表紙が挿し込まれた状態でその表紙を上下に移動させるような力が当該表紙に掛かると、徐々に挿し込み部内に表紙の上下方向へのずれを許容するような隙間が生じ、その結果、当該挿し込み部における表紙の保持が緩み、当該表紙がブックカバーに対してずれたりブックカバーから外れたりする虞がある。
この発明は、上記の課題を解決するためになされたものであり、その目的は、簡略な構成で、多様な本のサイズに合わせてサイズ調節が可能であり、且つ、確実に本の表紙をホールドして本の表紙のずれや外れを防止することが可能なブックカバーを提供することである。
【課題を解決するための手段】  上記目的を達成するために、本発明によるブックカバーは、本に装着するブックカバーであって、本の表紙に装着されるカバー本体と、前記カバー本体が本の表紙に装着された状態を保持するための複数の面ファスナーとを備え、前記カバー本体は、互いに対向し且つ互いに平行な第１の辺及び第２の辺と、前記第１の辺と前記第２の辺のうちそれらの長手方向における同じ側の一端部同士を繋ぐ第３の辺と、前記第１の辺と前記第２の辺のうち前記第３の辺によって繋がれた側と反対側の端部同士を繋ぐ第４の辺とを持つシートが前記第１の辺及び前記第２の辺に直交する第１折返し線に沿って折り返され、当該シートのうち前記第１折返し線から前記第３の辺側の部位である折返し部が当該シートのうち前記第１折返し線から前記第４の辺側の部位である基部上に重なる形状に形成され、前記折返し部は、当該折返し部の前記第３の辺と前記基部の前記第４の辺との間に前記基部が当該折返し部によって覆われていない余白部が形成されるように前記基部上に重ねられており、前記複数の面ファスナーには、前記カバー本体の前記折返し部に取り付けられた第１面ファスナー及び第２面ファスナーと、前記カバー本体の前記余白部に取り付けられた第３面ファスナー及び第４面ファスナーとが含まれ、前記第１面ファスナーは、前記折返し部のうち前記基部側と反対側を向く面の前記第１の辺側の端部にその第１の辺に沿って延びるように設けられ、前記第２面ファスナーは、前記折返し部のうち前記基部側と反対側を向く面の前記第２の辺側の端部にその第２の辺に沿って延びるように設けられ、前記第３面ファスナーは、前記第１面ファスナーに対して着脱可能な面ファスナーであり、前記余白部のうち当該余白部が前記第１折返し線に平行な第２折返し線に沿って前記折返し部上に折り返されたときに前記第１面ファスナー上に重なる箇所に設けられ、前記第４面ファスナーは、前記第２面ファスナーに対して着脱可能な面ファスナーであり、前記余白部のうち当該余白部が前記第２折返し線に沿って前記折返し部上に折り返されたときに前記第２面ファスナー上に重なる箇所に設けられ、前記余白部が前記折返し部上に折り返された状態の前記カバー本体のうち前記第１の辺側の端部は、前記第２の辺側へ折り返されてその内側に本の表表紙と裏表紙のうちの一方の表紙を保持し、そのカバー本体のうち前記第２の辺側の端部は、前記第１の辺側へ折り返されてその内側に本の表表紙と裏表紙のうちの他方の表紙を保持し、当該カバー本体のうちそれら両端部の間に位置する部位は、本の表表紙から背表紙を経て裏表紙へ亘る部位を覆う。
このブックカバーでは、基部の余白部を第２折返し線に沿って折返し部上に折り返したときにその余白部を折返し部上に重ねる量（第２折返し線に直交する方向における重ね幅）を調節して第１の辺及び第２の辺の方向におけるカバー本体の寸法を本の縦方向の寸法に合うように調節することができるとともに、第３面ファスナーと第１面ファスナーとの結合及び第４面ファスナーと第２面ファスナーとの結合によりその寸法を調節した状態を維持することができる。このため、上記のように余白部を折返し部上に折り重ねた状態のカバー本体の第１の辺側の端部の内側で本の表表紙と裏表紙のうち一方の表紙を保持して上下方向にずれたり外れたりしないようにすることができ、そのカバー本体を背表紙側に折り返し、当該カバー本体の第２の辺側の端部をさらに折り返した部分の内側に他方の表紙を挿し込んでその表紙が上下方向にすれたり外れたりしないようにすることができる。また、カバー本体のうち前記一方の表紙が挿し込まれた前記第１の辺側の端部の折返し量と、前記他方の表紙が挿し込まれた前記第２の辺側の端部の折返し量とを調節することによって、本の表表紙から背表紙を経て裏表紙へ亘る部分の寸法に合うようにカバー本体の寸法を調節することができる。以上のように、このブックカバーでは、多様な本のサイズに合わせてカバー本体のサイズ調節が可能であるとともに、確実に本の表紙をホールドして本の表紙のずれや外れを防止することができる。また、このブックカバーは、シートを上記のように折り返して形成されたカバー本体に第１〜第４面ファスナーを取り付けただけの構成であるため、簡略な構成で形成することができる。
上記ブックカバーにおいて、前記折返し部は、前記第１折返し線の延びる方向における当該折返し部の両端からそれぞれ内側へ特定の範囲において当該折返し部と前記基部との間に本の表紙が挿し込まれるのを許容する状態で前記基部と固定されていることが好ましい。
この構成によれば、本の一方の表紙を第１折返し線の延びる方向における折返し部の一方の端部と基部との間に挿し込み、基部の余白部を折返し部上に折り返して本の縦方向の寸法に合わせてカバー本体のサイズ調節をするときに、折返し部が基部に固定されていない場合に比べて、手間を削減することができる。具体的には、折返し部が基部に固定されていない場合には、折返し部が基部に対してずれて折返し部の折り返し量が変化する場合があるため、カバー本体のサイズ調節時にその折返し部の折返し量も調節する必要があるが、本構成によれば、折返し部が基部に固定されているので、そのような折返し部の折返し量の調節が不要であり、カバー本体のサイズ調節の手間を削減することができる。
【発明の効果】  以上説明したように、本発明によれば、簡略な構成で、多様な本のサイズに合わせてサイズ調節が可能であり、且つ、確実に本の表紙をホールドして本からのずれや外れを防止することが可能なブックカバーを提供することができる。
【図面の簡単な説明】
【図１】  本発明の一実施形態によるブックカバーの正面図である。
【図２】  図１に示したブックカバーの余白部を折り返して、第１と第３の面ファスナー同士、第２と第４の面ファスナー同士をそれぞれ結合させた状態を示す図である。
【図３】  図２に示した面ファスナー同士を結合させた状態のブックカバーの斜視図である。
【図４】  本に対するブックカバーの装着時に折返し部と基部との間に本の一方の表紙を挿し込んだ状態を示す図である。
【図５】  図２に示した面ファスナー同士を貼り合わせた状態のブックカバーの斜視図である。
【図６】  図１に示したブックカバーに対する本の装着手順の一例を示す図であり、本の一方の表紙をカバー本体の第１の辺側の端部内に挿入した状態を示す図である。
【図７】  図６の状態から余白部を折り返して、第１面ファスナーに第３面ファスナーを結合させ、第２面ファスナーに第４面ファスナーを結合させた状態を示す図である。
【図８】  図７の状態から本をブックカバーに装着途中の状態であり、ブックカバーに一方の表紙を挿入したまま本を第２の辺側へ反転させた状態を示す図である。
【図９】  図８の状態から本をさらに第２の辺側へ反転させた状態を示す図である。
【図１０】  カバー本体の第２の辺側の端部内に本のもう一方の表紙を挿入した状態を示す図である。
【発明を実施するための形態】
以下、本発明の実施形態を図面を参照して説明する。
まず、図１〜図５を参照して、本発明の一実施形態によるブックカバーの構成について説明する。
本実施形態によるブックカバーは、本の汚損等を防止するために本の表表紙、背表紙及び裏表紙にかけての部分に装着するものであり、装着する本のサイズに合わせて自由にサイズ調節することができるように構成されている。
具体的には、本実施形態によるブックカバーは、図１に示すように、カバー本体２と、第１面ファスナー４と、第２面ファスナー６と、第３面ファスナー８と、第４面ファスナー１０とを有する。
カバー本体２は、矩形状の１枚のシートを折り畳んで形成される。このカバー本体２の素材としてのシートには、布地、天然皮革や合成皮革からなるシート、塩化ビニル等の樹脂材料からなるシート、その他、ある程度の柔軟性を有する材料からなるシートが採用される。カバー本体２の素材としてのシートは、その外縁を構成する４つの辺を有する。具体的には、当該シートは、互いに対向し且つ互いに平行な第１の辺２ａ及び第２の辺２ｂと、それら両辺２ａ，２ｂに対して直交する方向に延びるとともに互いに対向し且つ互いに平行な第３の辺２ｃ及び第４の辺２ｄとを有する。第３の辺２ｃは、第１の辺２ａと第２の辺２ｂの長手方向における同じ側の一端部同士を繋ぐ辺である。第４の辺２ｄは、第１の辺２ａと第２の辺２ｂのうち第３の辺２ｃによって繋がれた一端部と反対側の端部同士を繋ぐ辺である。そして、カバー本体２は、図１に示すように、このシートが第１の辺２ａ及び第２の辺２ｂに直交する第１折返し線２ｅに沿って折り返され、当該シートのうち第１折返し線２ｅから第３の辺２ｃ側の部位である折返し部２ｆが当該シートのうち第１折返し線２ｅから第４の辺２ｄ側の部位である基部２ｇ上に重なる形状に形成されている。この形状に形成されたカバー本体２では、第３の辺２ｃは、第４の辺２ｄに対して平行に配置されている。また、折返し部２ｆは、当該折返し部２ｆの第３の辺２ｃと基部２ｇの第４の辺２ｄとの間に基部２ｇが当該折返し部２ｆによって覆われていない余白部２ｈが形成されるように基部２ｇ上に重ねられている。
また、折返し部２ｆは、第１折返し線２ｅの延びる方向における当該折返し部２ｆの両端からそれぞれ内側へ特定の範囲において当該折返し部２ｆと基部２ｇとの間に本の表紙が挿し込まれるのを許容する状態で基部２ｇに固定されている。具体的には、折返し部２ｆは、第１折返し線２ｅの延びる方向における当該折返し部２ｆの両端の間の中央の位置で基部２ｇに固定されている。より詳しくは、折返し部２ｆは、基部２ｇに縫い付けることによって固定されており、前記中央の位置には、第１折返し線２ｅに直交する方向に延び、折返し部２ｆを基部２ｇに縫い付ける縫い目２ｊが設けられている。この縫い目２ｊは、折返し部２ｆのうち基部２ｇに向き合う面と反対側の面に露出している。
第１〜第４面ファスナー４，６，８，１０は、カバー本体２が本の表紙に装着された状態を保持するためのものである。具体的には、第１〜第４面ファスナー４，６，８，１０は、カバー本体２を本の表紙に装着するときに図２に示すように基部２ｇの余白部２ｈを折返し部２ｆ上に折り重ねたときにその折り重ねた余白部２ｈと折返し部２ｆとを結合してその折り重ねた状態を保持する。
第１面ファスナー４と第２面ファスナー６は、図１に示すように、折返し部２ｆのうち基部２ｇに向き合う面と反対側の面に取り付けられている。第１面ファスナー４は、第１折返し線２ｅの延びる方向における折返し部２ｆの両端のうち第１の辺２ａ側に位置する端部に設けられ、第１の辺２ａに沿って第１折返し線２ｅ近傍の位置から第３の辺２ｃ近傍の位置まで延びている。第２面ファスナー６は、第１折返し線２ｅの延びる方向における折返し部２ｆの両端のうち第２の辺２ｂ側に位置する端部に設けられ、第２の辺２ｂに沿って第１折返し線２ｅ近傍の位置から第３の辺２ｃ近傍の位置まで延びている。
第３面ファスナー８は、第１面ファスナー４と着脱可能な面ファスナーであり、第４面ファスナー１０は、第２面ファスナー６と着脱可能な面ファスナーである。第３面ファスナー８は、余白部２ｈのうち当該余白部２ｈが第１折返し線２ｅに平行な第２折返し線２ｉに沿って折返し部２ｆ上に折り返されたときに第１面ファスナー４上に重なる箇所に取り付けられており、第４面ファスナー１０は、余白部２ｈのうち当該余白部２ｈが第１折返し線２ｅに平行な第２折返し線２ｉに沿って折返し部２ｆ上に折り返されたときに第２面ファスナー６上に重なる箇所に取り付けられている。具体的には、第３面ファスナー８は、余白部２ｈが第２折返し線２ｉに沿って折り返されたときに折返し部２ｆ上に重なる面のうち第１の辺２ａと第４の辺２ｄとの間の角部に設けられており、第４面ファスナー１０は、余白部２ｈが第２折返し線２ｉに沿って折り返されたときに折返し部２ｆ上に重なる面のうち第２の辺２ｂと第４の辺２ｄとの間の角部に設けられている。
余白部２ｈが折返し部２ｆ上に折り返されて第３面ファスナー８が第１面ファスナー４に結合されるとともに第４面ファスナー１０が第２面ファスナー６に結合された状態では、カバー本体２（ブックカバー）は、図３に示すように扁平した筒状となる。そして、この状態のカバー本体２のうち第１の辺２ａ側の端部は、第２の辺２ｂ側へ折り返されてその内側に本の表表紙と裏表紙のうちの一方の表紙を保持し（図４参照）、そのカバー本体２のうち第２の辺２ｂ側の端部は、図５に示すように第１の辺２ａ側へ折り返されてその内側に本の表表紙と裏表紙のうちの他方の表紙を保持する（図１０参照）。また、カバー本体２のうちそれら第１の辺２ａ側及び第２の辺２ｂ側の両端部の間に位置する部位は、本の表表紙から背表紙を経て裏表紙へ亘る部位を覆う。
次に、図６〜図１０を参照して、本発明の一実施形態によるブックカバーの本への装着方法について説明する。
本実施形態によるブックカバーを本へ装着するときには、まず、図６に示すように、本の表紙側が天面となるように本を開いた状態で、その本の表表紙と裏表紙のうちの一方の表紙をカバー本体２の第１の辺２ａ側に位置する基部２ｇと折返し部２ｆの端部同士の間に挿し込む。このとき、前記一方の表紙の上縁が折返し部２ｆと基部２ｇとの境界部（第１折返し線２ｅの位置に相当）の内側に当たるように配置する。
次に、図７に示すように、カバー本体２の余白部２ｈを第２折返し線２ｉに沿って折返し部２ｆ上に折り返す。このとき、余白部２ｈを折り返した状態でカバー本体２の第１の辺２ａに沿う方向の内寸が前記一方の表紙の縦方向の寸法に合うように余白部２ｈの折返し量を調節して、たるみやズレが生じないようにする。すなわち、第１の辺２ａに沿う方向における第２折返し線２ｉの位置、換言すれば第１折返し線２ｅと第２折返し線２ｉとの間の距離は、本の縦方向の寸法に応じて異なる。そして、余白部２ｈの折返し量を調節した状態で第３面ファスナー８を第１面ファスナー４に結合させ、第４面ファスナー１０を第２面ファスナー１０に結合させる。
次に、図８に示すように本を閉じてブックカバー側に反転させることにより、カバー本体２の第１の辺２ａ側の端部を本の前記一方の表紙が挿し込まれた状態で第２の辺２ｂ側へ折り返し、さらに、図９に示すように本を第２の辺２ｂ側へ反転させてブックカバー（カバー本体２）が本の前記一方の表紙から背表紙を経て他方の表紙へ亘る面に沿うように当該ブックカバーを本に巻き付ける。
最後に、図１０に示すように、カバー本体２の第２の辺２ｂ側の端部を折り返してその端部の内側に本の前記他方の表紙を挿し込む。なお、ここでのカバー本体２の第２の辺２ｂ側の端部の折返し量（折返し幅）と、上記の第１の辺２ａ側の端部の折返し量とを調節することによって、本の表表紙から背表紙を経て裏表紙に亘る部分の寸法に合うようにブックカバーのサイズ調節を行う。
以上のようにして、ブックカバーが本に装着される。
本実施形態のブックカバーでは、基部２ｇの余白部２ｈを第２折返し線２ｉに沿って折返し部２ｆ上に折り返したときにその余白部２ｈを折返し部２ｆ上に重ねる量（第２折返し線２ｉに直交する方向における重ね幅）を調節して第１の辺２ａ及び第２の辺２ｂの方向におけるカバー本体２の寸法を本の縦方向の寸法に合うように調節することができるとともに、第３面ファスナー８と第１面ファスナー４との結合及び第４面ファスナー１０と第２面ファスナー６との結合によりその寸法を調節した状態を維持することができる。このため、余白部２ｈを折返し部２ｆ上に折り重ねた状態のカバー本体２の第１の辺２ａ側の端部の内側で本の表表紙と裏表紙のうち一方の表紙を保持して上下方向にずれたり外れたりしないようにすることができ、そのカバー本体２を背表紙側に折り返し、当該カバー本体２の第２の辺２ｂ側の端部をさらに折り返した部分の内側に他方の表紙を挿し込んでその表紙が上下方向にすれたり外れたりしないようにすることができる。また、カバー本体２のうち一方の表紙が挿し込まれた第１の辺２ａ側の端部の折返し量と、他方の表紙が挿し込まれた第２の辺２ｂ側の端部の折返し量とを調節することによって、本の表表紙から背表紙を経て裏表紙へ亘る部分の寸法に合うようにカバー本体２の寸法を調節することができる。以上のように、本実施形態のブックカバーでは、多様な本のサイズに合わせてカバー本体２のサイズ調節が可能であるとともに、確実に本の表紙をホールドして本の表紙のずれや外れを防止することができる。
また、本実施形態のブックカバーは、シートを上記のように折り返して形成されたカバー本体２に第１〜第４面ファスナー４，６，８，１０を取り付けるだけで形成されているため、簡略な構成で形成することができる。
また、本実施形態のブックカバーでは、折返し部２ｆは、第１折返し線２ｅの延びる方向における当該折返し部２ｆの両端からそれぞれ内側へ特定の範囲において当該折返し部２ｆと基部２ｇとの間に本の表紙が挿し込まれるのを許容する状態で基部２ｇと固定されているため、本の一方の表紙を第１折返し線２ｅの延びる方向における折返し部２ｆの一方の端部と基部２ｇとの間に挿し込み、基部２ｇの余白部２ｈを折返し部２ｆ上に折り返して本の縦方向の寸法に合わせてカバー本体２のサイズ調節をするときに、折返し部２ｆが基部２ｇに固定されていない場合に比べて、手間を削減することができる。具体的には、折返し部２ｆが基部２ｇに固定されていない場合には、折返し部２ｆが基部２ｇに対してずれて折返し部２ｆの折り返し量が変化する場合があるため、カバー本体２のサイズ調節時にその折返し部２ｆの折返し量も調節する必要があるが、本実施形態によれば、折返し部２ｆが基部２ｇに固定されているので、そのような折返し部２ｆの折返し量の調節が不要であり、カバー本体２のサイズ調節の手間を削減することができる。
なお、本発明は、上記した実施形態に限定されるものではなく、特許請求の範囲と均等の意味及び範囲内において種々の変形が可能である。
例えば、上記実施形態では、カバー本体２の折返し部２ｆを基部２ｇに縫い付けることによって固定したが、基部２ｇに対する折返し部２ｆの固定の形態は、このような形態に限定されない。例えば、接着による固定や、ホック又はボタン等の固定部材による固定を、基部２ｇに対する折返し部２ｆの固定に採用してもよい。また、折返し部２ｆは、基部２ｇに固定されていなくてもよい。
また、折返し部２ｆを基部２ｇに対して固定する箇所は、第３の辺２ｃと第４の辺２ｄとの間の中心位置に限定されない。例えば、第３の辺２ｃと第４の辺２ｄとの間の中心位置から第３の辺２ｃ側又は第４の辺２ｄ側へ多少ずれた位置において折返し部２ｆが基部２ｇに対して固定されていてもよい。
【符号の説明】２  カバー本体
２ａ  第１の辺
２ｂ  第２の辺
２ｃ  第３の辺
２ｄ  第４の辺
２ｅ  第１折返し線
２ｆ  折返し部
２ｇ  基部
２ｈ  余白部
２ｉ  第２折返し線
２ｊ  縫い目
４  第１面ファスナー
６  第２面ファスナー
８  第３面ファスナー
１０  第４面ファスナー
【図１】
0005717295.tif 000002
【図２】
0005717295.tif 000003
【図３】
0005717295.tif 000004
【図４】
0005717295.tif 000005
【図５】
0005717295.tif 000006
【図６】
0005717295.tif 000007
【図７】
0005717295.tif 000008
【図８】
0005717295.tif 000009
【図９】
0005717295.tif 000010
【図１０】
0005717295.tif 000011